(57)【特許請求の範囲】
【請求項１】
所定の変調方式で変調された複数のシンボルを一定の時間間隔で区切られた複数のスロットに含めた無線周波数の信号を送受信する移動通信端末（２）を試験する移動通信端末試験装置（１）であって、
前記無線周波数の送信信号を受信してベースバンド信号に変換し、前記ベースバンド信号をデジタル値の受信信号として出力する受信信号出力手段（１２）と、
前記受信信号に含まれる前記各シンボルの変調精度を測定する変調精度測定手段（２２）と、
前記複数のスロットのうちの少なくとも１つを選択するスロット選択手段（３２）と、
前記スロット選択手段が選択したスロットに含まれる各シンボルの変調精度を表示する表示手段（４３）と、を備え、
前記変調精度測定手段は、前記スロットに含まれる前記複数のシンボルのうち、予め定められた測定対象シンボルを前記変調精度の測定対象とするものであり、
前記表示手段は、前記測定対象シンボルが含まれる測定区間（７３）と、前記測定対象シンボルが含まれない除外区間（７１、７２）とを識別表示する表示領域（５１）を表示するものであることを特徴とする移動通信端末試験装置。
【請求項２】
前記表示手段は、前記スロット選択手段が選択したスロットに含まれる各シンボルの変調精度グラフ（５１ｃ、５２ａ）を表示するものであることを特徴とする請求項１に記載の移動通信端末試験装置。
【請求項３】
前記移動通信端末は、前記所定の変調方式で変調された複数のシンボルが時間領域及び周波数領域の双方向の予め定められた領域に割り当てられた送信信号を送信するものであって、
前記表示手段は、前記送信信号が割り当てられた割当領域（５１ａ）と、前記割当領域とは異なる非割当領域（５１ｂ）とを識別表示する表示領域（５１）を表示するものであることを特徴とする請求項１又は請求項２に記載の移動通信端末試験装置。
【請求項４】
前記表示手段は、前記送信信号が割り当てられた割当領域の割当数をスロットごとに示すグラフの表示領域（５３ｃ）を表示し、前記スロット選択手段に任意のスロットを選択させるものであることを特徴とする請求項３に記載の移動通信端末試験装置。
【請求項５】
所定の変調方式で変調された複数のシンボルを一定の時間間隔で区切られた複数のスロットに含めた無線周波数の信号を送受信する移動通信端末（２）を試験する移動通信端末試験方法であって、
前記無線周波数の送信信号を受信してベースバンド信号に変換し、前記ベースバンド信号をデジタル値の受信信号として入力する受信信号入力ステップ（Ｓ１１）と、
前記受信信号に含まれる前記各シンボルの変調精度を測定する変調精度測定ステップ（Ｓ１４）と、
前記複数のスロットのうちの少なくとも１つを選択するスロット選択ステップ（Ｓ１６）と、
前記スロット選択ステップで選択したスロットに含まれる各シンボルの変調精度を表示する表示ステップ（Ｓ１９）と、を含み、
前記変調精度測定ステップにおいて、前記スロットに含まれる前記複数のシンボルのうち、予め定められた測定対象シンボルを前記変調精度の測定対象とし、
前記表示ステップにおいて、前記測定対象シンボルが含まれる測定区間（７３）と、前記測定対象シンボルが含まれない除外区間（７１、７２）とを識別表示する表示領域（５１）を表示することを特徴とする移動通信端末試験方法。
【発明の詳細な説明】
【技術分野】
【０００１】
本発明は、例えば携帯電話やモバイル端末等の移動通信端末を試験する移動通信端末試験装置及び移動通信端末試験方法に関する。
【背景技術】
【０００２】
従来、この種の移動通信端末試験装置としては、例えば、特許文献１に開示されたものが知られている。この移動通信端末試験装置は、移動通信端末に信号を送信する送信回路と、移動通信端末からの信号を受信する受信回路とを有し、移動通信端末に対して信号を送受信する擬似基地局として動作することにより、移動通信端末の試験を行う構成となっている。特許文献１には、移動通信端末が用いる通信方式として、符号分割多元接続（ＣＤＭＡ：Code Division Multiple Access）方式や、広帯域符号分割多元接続（Ｗ−ＣＤＭＡ：Wideband-Code Division Multiple Access）方式の記載がある。
【０００３】
このＷ−ＣＤＭＡの次世代の通信規格として、３ＧＰＰ（Third Generation Partnership Project）によるＬＴＥ（Long Term Evolution）と呼ばれる通信規格が検討され、現在、導入が開始されている。ＬＴＥでは、下りリンクについてはＯＦＤＭＡ（Orthogonal Frequency Division Multiple Access：直交周波数分割多元接続）、上りリンクについてはＳＣ−ＦＤＭＡ（Single Carrier-Frequency Division Multiple Access：シングルキャリア−周波数分割多元接続）が採用されている（例えば、非特許文献１参照）。
【０００４】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００５】
ＳＣ−ＦＤＭＡは、周波数帯域を分割し、複数の端末間で互いに異なる周波数帯域を用いて伝送することにより、移動通信端末間の干渉を低減することができる伝送方式である。ＳＣ−ＦＤＭＡでは、送信電力の変動が小さくなる特徴を持つことから、端末の低消費電力化及び広いカバレッジを実現できる。
【０００６】
このＳＣ−ＦＤＭＡにおいてデジタル信号は、図１２に示すようなフォーマットで伝送される。すなわち、時間軸方向において、７個のＳＣ−ＦＤＭＡシンボルによって構成された、時間幅が０．５ｍｓ（ミリ秒）のスロットが互いに隣接して形成されている。このスロット２個で１個のサブフレームが構成され、１０個のサブフレームで１個のフレームが構成されている。
【０００７】
また、各スロットは、周波数軸方向において、周波数帯域を割り当てるための複数のブロックに分割される。１５ｋＨｚ間隔のサブキャリア１２個（１８０ｋＨｚ）を周波数軸方向の単位として、１個のリソースブロック（以下「ＲＢ」と記す。）が構成される。ＳＣ−ＦＤＭＡでは、ＲＢが移動通信端末ごとに動的に割り当てられるようになっている。図１２では、４つの移動通信端末ＵＥ１〜４に対してＲＢがそれぞれ割り当てられた例を示している。
【０００８】
このＳＣ−ＦＤＭＡを利用した移動通信端末の試験規格としてＥＶＭ（Error Vector Magnitude：変調精度）に関する試験が定められている（例えば、非特許文献２参照）。この試験では、１フレーム中に８個のスロットの信号が定義されたテストパターンにより、２フレーム分測定して合計１６スロット分のＥＶＭの平均値を一括して求めることになっている。従来の移動通信端末試験装置では、この試験規格に基づいて移動通信端末のＥＶＭを評価していた。
【先行技術文献】
【特許文献】
【０００９】
【特許文献１】特開２００３−４６４３１号公報
【非特許文献】
【００１０】
【非特許文献１】３ＧＰＰ  ＴＲ  ２５．８１４，"Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ"
【非特許文献２】３ＧＰＰ  ＴＳ  ３６．５２１−１  ６．５．２．１Ａ，"ＰＵＳＣＨ−ＥＶＭ  ｗｉｔｈ  ｅｘｃｌｕｓｉｏｎ  ｐｅｒｉｏｄ"
【発明の概要】
【発明が解決しようとする課題】
【００１１】
しかしながら、従来の移動通信端末試験装置では、１６スロット分のＥＶＭの平均値を一括して求める構成となっているので、スロットごとのＥＶＭがどのような値であるかを試験者に示すことができないという課題があった。そのため、従来の移動通信端末試験装置では、移動通信端末の開発段階や製造ラインでの評価段階において詳細な解析や不具合の発見等が十分にできない場合があり、その改善が望まれていた。
【００１２】
本発明は、前述のような事情に鑑みてなされたものであり、ＥＶＭをスロットごとに表示することができる移動通信端末試験装置及び移動通信端末試験方法を提供することを目的とする。
【課題を解決するための手段】
【００１３】
本発明の請求項１に係る移動通信端末試験装置は、所定の変調方式で変調された複数のシンボルを一定の時間間隔で区切られた複数のスロットに含めた無線周波数の信号を送受信する移動通信端末（２）を試験する移動通信端末試験装置（１）であって、前記無線周波数の送信信号を受信してベースバンド信号に変換し、前記ベースバンド信号をデジタル値の受信信号として出力する受信信号出力手段（１２）と、前記受信信号に含まれる前記各シンボルの変調精度を測定する変調精度測定手段（２２）と、前記複数のスロットのうちの少なくとも１つを選択するスロット選択手段（３２）と、前記スロット選択手段が選択したスロットに含まれる各シンボルの変調精度を表示する表示手段（４３）と、を備え、前記変調精度測定手段は、前記スロットに含まれる前記複数のシンボルのうち、予め定められた測定対象シンボルを前記変調精度の測定対象とするものであり、前記表示手段は、前記測定対象シンボルが含まれる測定区間（７３）と、前記測定対象シンボルが含まれない除外区間（７１、７２）とを識別表示する表示領域（５１）を表示するものである構成を有している。
【００１４】
この構成により、本発明の請求項１に係る移動通信端末試験装置は、表示手段が、スロット選択手段が選択したスロットに含まれる各シンボルのＥＶＭを表示するので、ＥＶＭをスロットごとに表示することができる。また、この構成により、本発明の請求項１に係る移動通信端末試験装置は、ＥＶＭの測定区間と除外区間とを識別表示することができる。
【００１５】
本発明の請求項２に係る移動通信端末試験装置は、前記表示手段は、前記スロット選択手段が選択したスロットに含まれる各シンボルの変調精度グラフ（５１ｃ、５２ａ）を表示するものである構成を有している。
【００１６】
この構成により、本発明の請求項２に係る移動通信端末試験装置は、各シンボルのＥＶＭグラフをスロットごとに表示することができる。
【００１９】
本発明の請求項３に係る移動通信端末試験装置は、前記移動通信端末は、前記所定の変調方式で変調された複数のシンボルが時間領域及び周波数領域の双方向の予め定められた領域に割り当てられた送信信号を送信するものであって、前記表示手段は、前記送信信号が割り当てられた割当領域（５１ａ）と、前記割当領域とは異なる非割当領域（５１ｂ）とを識別表示する表示領域（５１）を表示するものである構成を有している。
【００２０】
この構成により、本発明の請求項３に係る移動通信端末試験装置は、送信信号の割当領域と非割当領域とを識別表示することができる。
【００２１】
本発明の請求項４に係る移動通信端末試験装置は、前記表示手段は、前記送信信号が割り当てられた割当領域の割当数をスロットごとに示すグラフの表示領域（５３ｃ）を表示し、前記スロット選択手段に任意のスロットを選択させるものである構成を有している。
【００２２】
この構成により、本発明の請求項４に係る移動通信端末試験装置は、各スロットに割り当てられる領域数が動的に変更されても、試験者がスロットを選択する際に、領域の割当状況を試験者に直感的に把握させることができる。
【００２３】
本発明の請求項５に係る移動通信端末試験方法は、所定の変調方式で変調された複数のシンボルを一定の時間間隔で区切られた複数のスロットに含めた無線周波数の信号を送受信する移動通信端末（２）を試験する移動通信端末試験方法であって、前記無線周波数の送信信号を受信してベースバンド信号に変換し、前記ベースバンド信号をデジタル値の受信信号として入力する受信信号入力ステップ（Ｓ１１）と、前記受信信号に含まれる前記各シンボルの変調精度を測定する変調精度測定ステップ（Ｓ１４）と、前記複数のスロットのうちの少なくとも１つを選択するスロット選択ステップ（Ｓ１６）と、前記スロット選択ステップで選択したスロットに含まれる各シンボルの変調精度を表示する表示ステップ（Ｓ１９）と、を含み、前記変調精度測定ステップにおいて、前記スロットに含まれる前記複数のシンボルのうち、予め定められた測定対象シンボルを前記変調精度の測定対象とし、前記表示ステップにおいて、前記測定対象シンボルが含まれる測定区間（７３）と、前記測定対象シンボルが含まれない除外区間（７１、７２）とを識別表示する表示領域（５１）を表示する構成を有している。
【００２４】
この構成により、本発明の請求項５に係る移動通信端末試験方法は、表示ステップにおいて、スロット選択ステップで選択したスロットに含まれる各シンボルのＥＶＭを表示するので、ＥＶＭをスロットごとに表示することができる。また、この構成により、本発明の請求項５に係る移動通信端末試験方法は、ＥＶＭの測定区間と除外区間とを識別表示することができる。
【発明の効果】
【００２５】
本発明は、ＥＶＭをスロットごとに表示することができるという効果を有する移動通信端末試験装置及び移動通信端末試験方法を提供することができるものである。
【図面の簡単な説明】
【００２６】
【図１】本発明に係る移動通信端末試験装置の一実施形態において、試験対象の移動通信端末が送信するＥＶＭテストパターンの説明図である。
【図２】本発明に係る移動通信端末試験装置の一実施形態において、試験対象の移動通信端末が送信するＥＶＭテストパターンの各スロットの説明図である。
【図３】本発明に係る移動通信端末試験装置の一実施形態における除外区間の説明図である。
【図４】本発明に係る移動通信端末試験装置の一実施形態におけるブロック構成図である。
【図５】本発明に係る移動通信端末試験装置の一実施形態において、表示部が表示する画面例を示す図である。
【図６】本発明に係る移動通信端末試験装置の一実施形態において、スロット５のＥＶＭ測定結果を表示部が表示した例を示す図である。
【図７】本発明に係る移動通信端末試験装置の一実施形態において、スロット７のＥＶＭ測定結果を表示部が表示した例を示す図である。
【図８】本発明に係る移動通信端末試験装置の一実施形態において、スロット４のＥＶＭ測定結果を表示部が表示した例を示す図である。
【図９】本発明に係る移動通信端末試験装置の一実施形態において、サブフレームごとのＲＢの割当状況をグラフで表示した例を示す図である。
【図１０】本発明に係る移動通信端末試験装置の一実施形態におけるフローチャートである。
【図１１】本発明に係る移動通信端末試験装置の一実施形態において、ＥＶＭの平均値の算出に関し、従来と比較した図である。
【図１２】ＳＣ−ＦＤＭＡにおけるデジタル信号の伝送フォーマットの説明図である。
【発明を実施するための形態】
【００２７】
まず、本発明の実施形態を説明する前に、「３ＧＰＰ  ＴＳ  ３６．５２１−１  ６．５．２．１Ａ」に規定されている、ＬＴＥにおけるＥＶＭ測定用のテストパターン（以下「ＥＶＭテストパターン」という。）について説明する。
【００２８】
図１に示すように、ＥＶＭテストパターンは、１フレームで定義されている。１フレームは、１０個のサブフレーム（サブフレーム０から９まで）を含む。各サブフレームは、２つのスロットを含む。すなわち、１フレームは、スロット０から１９までの２０個のスロットで構成されている。
【００２９】
２０個のスロットは、例えばチャネルの周波数帯域幅が１０ＭＨｚの場合、それぞれ、周波数軸方向に５０個のＲＢが割当可能な領域を有する。これらのスロットのうち、斜線で示したスロット４〜７、１４〜１７には所定個数のＲＢが割り当てされている。したがって、ＥＶＭテストパターンにおいて、斜線で示した領域が割当領域であり、これ以外の領域が非割当領域である。
【００３０】
スロット４〜７、１４〜１７には、それぞれ、図２に示す個数のＲＢが割り当てられている。スロット４、５、１６、１７には各１２個、スロット６、７、１４、１５には各１個のＲＢが割り当てられている。また、ＲＢが割り当てられた各スロットにおいて、サブキャリアのデータの先頭又は末尾に、ＥＶＭの測定対象外となる除外区間が定められている。この除外区間は、実時間で定められており、例えばスロット４は先頭に２５μｓ（マイクロ秒）の除外区間を有する。
【００３１】
ＥＶＭテストパターンは、前述のように構成されているので、ＥＶＭテストパターンを用いることにより、図２に示した条件でのＥＶＭ測定を行うことが可能となる。例えば、１２個のＲＢが割り当てられたスロット４のデータでは、パワーオフからオンに変化する場合のＥＶＭが測定できる。また、例えば、１個のＲＢが割り当てられたスロット６のデータでは、サブフレーム境界でＲＢ数が１２個から１個に変化する場合のＥＶＭが測定できる。
【００３２】
前述の除外区間については、「３ＧＰＰ  ＴＳ  ３６．５２１−１」の付録Ｅ．７に「ＥＶＭ  ｗｉｔｈ  ｅｘｃｌｕｓｉｏｎ  ｐｅｒｉｏｄ」と題して説明されている。ここでは、図３に基づき簡単に説明する。なお、ＥＶＭの測定は、シンボル長の先頭側の測定（Ｅａｒｌｙ  ＥＶＭ）と末尾側の測定（Ｌａｔｅ  ＥＶＭ）とを行い、いずれか値の悪い方を採用することとなっているが、これについては、以後、説明を省略する。
【００３３】
無線伝送におけるマルチパスの影響を低減するため、時間領域において、データの末尾がコピーされてＣＰ（Cyclic Prefix）として先頭に挿入される。図３（ａ）は、データの先頭に除外区間が設けられる場合を示しており、例えばスロット４ではデータの先頭に２５μｓの除外区間を有する。図３（ｂ）は、ＦＦＴ処理の対象となる除外区間を示している。さらに、ＩＤＦＴ処理により、データが周波数領域から擬似時間領域（Quasi Time domain）に変換されると、図３（ｃ）に示すように、除外区間は先頭と末尾の２箇所に分割される。分割された除外区間はそれぞれシンボル数で表される。除外区間の分割については、「Ｅ．７．４  Ｆｏｒｍｕｌａ」に計算式が示されている。例えば、前述のＥａｒｌｙ  ＥＶＭであれば、スロット４の場合、時間領域で先頭に設けられた２５μｓの除外区間は、擬似時間領域において先頭に４３シンボル、末尾に１０シンボルとなる。ただし、この値は、ＬＴＥの周波数帯域幅が１０ＭＨｚでの値である。
【００３４】
次に、本発明に係る移動通信端末試験装置の一実施形態における構成について説明する。なお、以下の説明では、本発明に係る移動通信端末試験装置が、ＬＴＥの通信規格に基づいて通信する移動通信端末を試験する例を挙げる。
【００３５】
図４に示すように、本実施形態における移動通信端末試験装置１は、移動通信端末２を試験するものであって、擬似基地局１０、測定部２０、操作部３０、測定データ処理部４１、表示制御部４２、表示部４３を備える。
【００３６】
擬似基地局１０は、送信部１１、受信部１２、結合器１３、制御部１４を備える。
【００３７】
送信部１１は、制御部１４によって指定された周波数の搬送波を所定の変調方式により変調し、基地局信号として結合器１３に出力するようになっている。この送信部１１の動作は制御部１４によって制御されるようになっている。
【００３８】
受信部１２は、被試験端末である移動通信端末２からの信号を結合器１３経由で受信するようになっている。また、受信部１２は、受信信号を復調してベースバンド信号にし、このベースバンド信号をデジタル値に変換するようになっている。デジタル値に変換されたベースバンド信号は、測定部２０に出力される。なお、受信部１２の動作は制御部１４によって制御されるようになっている。また、受信部１２は、本発明に係る受信信号出力手段を構成する。
【００３９】
結合器１３は、送信部１１に接続された端子１３ａ、受信部１２に接続された端子１３ｂ、移動通信端末２に接続された端子１３ｃを有する。この構成により、結合器１３は、送信部１１からの送信信号を端子１３ａで受けて端子１３ｃから移動通信端末２に出力し、移動通信端末２が送信した信号を端子１３ｃで受けて端子１３ｂから受信部１２に出力するようになっている。
【００４０】
制御部１４は、後述する操作部３０により設定された測定条件に基づいて、送信部１１、受信部１２、結合器１３の動作を制御するようになっている。また、制御部１４は、移動通信端末２にＲＢを割り当てる割当情報を把握しており、この割当情報を測定部２０に出力するようになっている。以下、制御部１４が、前述のＥＶＭテストパターンの信号を移動通信端末２に送信させ、移動通信端末試験装置１が移動通信端末２を試験するものとして説明する。この場合、制御部１４は、ＥＶＭテストパターンにおける除外区間（時間領域）の時間情報を把握しており、この除外区間（時間領域）の時間情報を測定部２０に出力するようになっている。
【００４１】
測定部２０は、受信信号処理回路２１、ＥＶＭ測定回路２２、割当情報取得部２３、除外区間算出部２４、測定データ記憶部２５を備える。
【００４２】
受信信号処理回路２１は、受信部１２からＥＶＭテストパターンに関するデジタル値のベースバンド信号を入力し、ＥＶＭテストパターンにおけるＥＶＭを測定するための所定の信号処理を行うようになっている。例えば、受信信号処理回路２１は、時間領域のベースバンド信号を周波数領域の信号に変換するＦＦＴ回路、周波数領域の信号を擬似時間領域の信号に変換するＩＤＦＴ回路等を備える。
【００４３】
ＥＶＭ測定回路２２は、ＥＶＭテストパターンのスロット４〜７、１４〜１７において各スロットに含まれる各シンボルのＥＶＭをスロットごとに測定するようになっている。このＥＶＭ測定回路２２は、本発明に係る変調精度測定手段を構成する。
【００４４】
割当情報取得部２３は、制御部１４から割当情報を取得するようになっている。
【００４５】
除外区間算出部２４は、除外区間（時間領域）の時間情報を制御部１４から取得し、後述する操作部３０により設定された測定条件と、前述の「Ｅ．７．４  Ｆｏｒｍｕｌａ」に記載の計算式に基づいて、除外区間（擬似時間領域）のシンボル数を算出するようになっている。
【００４６】
測定データ記憶部２５は、ＥＶＭ測定回路２２が測定したＥＶＭのデータ、除外区間のデータ、割当情報等を記憶するようになっている。
【００４７】
操作部３０は、試験者が操作するものであり、測定条件設定部３１、スロット選択部３２、マーカ操作部３３を備える。具体的には、操作部３０は、例えば、各種測定条件を設定するための設定画面を表示するディスプレイ、キーボード、ダイヤル又はマウスのような入力デバイス、これらを制御する制御回路等で構成される。
【００４８】
測定条件設定部３１は、ＥＶＭテストパターンのデータを移動通信端末２に送信させるため、例えば、通信規格（ここではＬＴＥ）や変調方式（例えばＱＰＳＫ）、周波数帯域幅、移動通信端末２に割り当てるＲＢの配置スロットやＲＢ個数、１つのスロットに対するＥＶＭ測定回数等の設定を行うようになっている。また、測定条件設定部３１は、後述する表示制御部４２を介して表示部４３における測定結果の表示形式、例えば各種測定値の数値表示やグラフ表示、所定項目の識別表示等を設定することもできるようになっている。
【００４９】
スロット選択部３２は、例えば、スロットの一覧を示した画面と、試験者が少なくとも１つのスロットを選択するスロット選択ボタンとで構成される。このスロット選択ボタンを試験者が押すことにより、所望のスロットのＥＶＭ測定データが、後述する表示部４３に表示される構成である。なお、スロット選択部３２は、本発明に係るスロット選択手段を構成する。
【００５０】
マーカ操作部３３は、例えば、１つのスロットにおいて、ＥＶＭ測定対象のシンボルを指定するために試験者によって操作されるものである。
【００５１】
測定データ処理部４１は、測定データ記憶部２５に記憶されたＥＶＭ測定データに対し、例えば、所定測定回数におけるスロットごとのＥＶＭの平均値の算出や、マーカ操作部３３によって指定されたシンボルのＥＶＭ測定データの読み出し等の処理を行うようになっている。
【００５２】
表示制御部４２は、測定データ処理部４１からＥＶＭ測定データを入力し、測定条件設定部３１で設定された表示形式で、スロット選択部３２によって選択されたスロットのＥＶＭ測定データ等を表示部４３に表示させるよう制御するようになっている。また、表示制御部４２は、割当領域、非割当領域、除外区間等を表示領域５１に識別表示させるようになっている。
【００５３】
表示部４３は、例えば、液晶ディスプレイで構成され、表示制御部４２の制御に従って、ＥＶＭテストパターンによるＥＶＭ測定データ等を表示するようになっている。この表示部４３は、本発明に係る表示手段を構成する。例えば、表示部４３は、図５に示すような画面を表示するものである。
【００５４】
図５において、表示部４３が表示する画面は、擬似時間領域におけるＥＶＭの表示領域５１、時間領域におけるＥＶＭの表示領域５２、各種情報の表示領域５３、解析条件を示す表示領域５４を有している。
【００５５】
表示領域５１は、横軸を復調シンボル（demodulated symbol）、縦軸をＥＶＭ（％）として、所定のスロットにおけるマーカ位置に該当するシンボル（SC-FDMA symbol）の復調シンボルごとにＥＶＭを表したグラフを表示できるものである。また、表示領域５１には、割当領域、非割当領域、除外区間等も識別表示される。
【００５６】
表示領域５２は、横軸をＳＣ−ＦＤＭＡシンボル（SC-FDMA symbol）、縦軸をＥＶＭ（％）として、所定のスロットにおけるマーカ位置に該当するシンボル（demodulated symbol）の時間軸方向のシンボルごとにＥＶＭを表したグラフを表示できるものである。
【００５７】
表示領域５３は、測定回数（Meas. Count）を表示する表示領域５３ａ、ＥＶＭの平均値（Avg.）、最大値（Max.）、最小値（Min.）を表示する表示領域５３ｂ、ＲＢ数をスロットごとに示すグラフの表示領域５３ｃ、変調方式（Modulation）を表示する表示領域５３ｄ、表示領域５１におけるマーカ位置に該当するシンボル（Demod. x symbol）と、表示領域５２におけるマーカ位置に該当するシンボル（SC-FDMA x symbol）と、これらのマーカ位置でのＥＶＭ（％）値とを表示する表示領域５３ｅを有する。
【００５８】
表示領域５４は、選択可能なスロット及び現在選択しているスロットを表示する領域５４ａ、マーカの表示が現在オン状態かオフ状態かを表示する表示領域５４ｂを有する。この表示領域５４の内容は、右側に並んだ操作ボタン６０を試験者が押すことによって変更できるようになっている。操作ボタン６０は、スロットを選択する操作ボタン６１、マーカの表示をオン又はオフにする操作ボタン６２を含む。例えば、操作ボタン６１を試験者が押すごとに、選択するスロットが４→５→６というように変化するようになっている。なお、操作ボタン６０は前述の操作部３０の一部を構成する。また、操作ボタン６２は前述のマーカ操作部３３の一部を構成し、マーカ操作部３３は操作ボタン６２以外にマーカの位置を設定するカーソルキー又はダイヤル（図示省略）も有する。
【００５９】
次に、ＥＶＭテストパターンを用いてＥＶＭを測定した場合の表示部４３による表示例を具体的に説明する。
【００６０】
図６は、スロット５のＥＶＭ測定結果を表示した例を示している。スロット５には、ＲＢが１２個割り当てられ、２５μｓの除外区間が末尾に設けられている（図２参照）。
【００６１】
図６において、表示領域５１には、割当領域５１ａと非割当領域５１ｂとが、例えば色付けにより識別表示されている。ここで、表示領域５１の横軸は、０から５９９までの６００個（＝５０ＲＢ×１２サブキャリア）の復調シンボル位置に対応している。スロット５には１２ＲＢが割り当てられているので（図２参照）、割当領域５１ａの横軸方向の幅は、復調シンボル数で表すと１４４個（１２ＲＢ×１２サブキャリア）である。一方、非割当領域５１ｂの横軸方向の幅は、復調シンボル数で表すと４５６シンボル（３８ＲＢ×１２サブキャリア）である。
【００６２】
割当領域５１ａには、０番目から１４３番目までの各復調シンボルのＥＶＭの測定結果を示すＥＶＭグラフ５１ｃが描かれている。ここで、０番目の復調シンボルにはマーカ５１ｄが当てられている。
【００６３】
表示領域５２には、ＳＣ−ＦＤＭＡシンボル（０から６まで）のＥＶＭの測定結果を示すＥＶＭグラフ５２ａが描かれている。ここで、０番目のＳＣ−ＦＤＭＡシンボルにはマーカ５２ｂが当てられている。
【００６４】
表示領域５３ｂには、ＥＶＭテストパターンのデータを２フレーム分測定した１６個分のスロットの平均値、最大値、最小値が表示されている。
【００６５】
表示領域５３ｃは、サブフレームの番号０〜９とＲＢの割当状況がグラフにより示され、現在、カーソルが第２のサブフレーム（ＳＦ）のスロット（Ｓｌｏｔ）５にあることがグラフ及び文字で表示されている。なお、図示した例では、１つのカーソルで１つのスロットを指定する構成としているが、例えば、スロット選択部３２により複数のカーソルを表示させて複数のスロットを選択させる構成とし、選択された複数のスロットのＥＶＭを表示部４３に同時に表示する構成としてもよい。
【００６６】
表示領域５３ｄは、試験対象信号の変調方式がＱＰＳＫ（Quadrature Phase Shift Keying）であることを示している。
【００６７】
表示領域５３ｅは、マーカ５１ｄ及び５２ｂがそれぞれ０番目のシンボルにあることを表示している。また、マーカ５１ｄ及び５２ｂで示されたシンボルのＥＶＭ測定値が１．８８％であることを示している。
【００６８】
次に、スロット７におけるＥＶＭ測定結果の表示例を図７に示す。スロット７には、ＲＢが１個割り当てられ、５μｓの除外区間が末尾に設けられている（図２参照）。
【００６９】
図７において、表示領域５１には、図６と同様に、割当領域５１ａと非割当領域５１ｂとが、例えば色付けにより識別表示されている。ここで、割当領域５１ａの横軸方向の幅は、復調シンボル数で表すと１２個（１ＲＢ×１２サブキャリア）である。一方、非割当領域５１ｂの横軸方向の幅は、復調シンボル数で表すと５８８シンボル（４９ＲＢ×１２サブキャリア）である。
【００７０】
割当領域５１ａには、０番目から１１番目までの各復調シンボルのＥＶＭの測定結果を示すＥＶＭグラフ５１ｃが描かれている。ここで、０番目の復調シンボルにはマーカ５１ｄが当てられている。
【００７１】
表示領域５２には、ＳＣ−ＦＤＭＡシンボル（０から６まで）のＥＶＭの測定結果を示すＥＶＭグラフ５２ａが描かれている。ここで、０番目のＳＣ−ＦＤＭＡシンボルにはマーカ５２ｂが当てられている。
【００７２】
表示領域５３ｃは、サブフレームの番号０〜９とＲＢの割当状況がグラフにより示され、現在、カーソルが第３のサブフレームのスロット７にあることがグラフ及び文字で表示されている。
【００７３】
表示領域５３ｅは、マーカ５１ｄ及び５２ｂがそれぞれ０番目のシンボルにあることを表示している。また、マーカ５１ｄ及び５２ｂで示されたシンボルのＥＶＭ測定値が３．４１％であることを示している。
【００７４】
次に、スロット４におけるＥＶＭ測定結果の表示例を図８に示す。スロット４には、ＲＢが１２個割り当てられ、２５μｓの除外区間が先頭に設けられている（図２参照）。
【００７５】
図８において、表示領域５１には、図６、図７と同様に、割当領域５１ａと非割当領域５１ｂとが、例えば色付けにより識別表示されている。ここで、割当領域５１ａの横軸方向の幅は、復調シンボル数で表すと１４４個（１２ＲＢ×１２サブキャリア）である。一方、非割当領域５１ｂの横軸方向の幅は、復調シンボル数で表すと４５６シンボル（３８ＲＢ×１２サブキャリア）である。
【００７６】
割当領域５１ａには、０番目から１４３番目までの各復調シンボルのＥＶＭの測定結果を示すＥＶＭグラフ５１ｃが描かれている。ここで、０番目の復調シンボルにはマーカ５１ｄが当てられている。
【００７７】
また、割当領域５１ａには、除外区間７１及び７２と、測定区間７３とが表示されている。スロット４には時間領域で先頭に２５μｓの除外区間が設けられており（図２参照）、前述したように、ＬＴＥの周波数帯域幅を１０ＭＨｚとすると、先頭側の除外区間７１は４３シンボル、末尾側の除外区間７２は１０シンボルである。なお、割当領域５１ａから除外区間７１及び７２を除いた区間が測定区間７３である。
【００７８】
表示領域５２には、ＳＣ−ＦＤＭＡシンボル（０から６まで）のＥＶＭの測定結果を示すＥＶＭグラフ５２ａが描かれている。ここで、０番目のＳＣ−ＦＤＭＡシンボルにはマーカ５２ｂが当てられている。
【００７９】
表示領域５３ｃは、サブフレームの番号０〜９とＲＢの割当状況がグラフにより示され、現在、カーソルが第２のサブフレームのスロット４にあることがグラフ及び文字で表示されている。
【００８０】
表示領域５３ｅは、マーカ５１ｄ及び５２ｂがそれぞれ０番目のシンボルにあることを表示している。また、マーカ５１ｄ及び５２ｂで示されたシンボルのＥＶＭ測定値が２．８３％であることを示している。
【００８１】
以上の表示例で説明したように、本実施形態における表示部４３は、スロットごとにＥＶＭの測定結果（数値、グラフ）を表示でき、また、割当領域、非割当領域、除外区間、割当状況を示すグラフ等も表示することができる。
【００８２】
また、本実施形態における表示部４３は、前述した表示領域５３ｃにおいてサブフレームごとのＲＢの割当状況をグラフで表示する構成となっているので、例えば、図９（ａ）及び（ｂ）に示すように、各スロットに割り当てられるＲＢの個数が動的に変更されても、試験者はＲＢの割当状況を直感的に把握することができる。
【００８３】
次に、本実施形態における移動通信端末試験装置１の動作について図１０を用いて説明する。
【００８４】
受信部１２は、移動通信端末２が送信したＥＶＭテストパターンの信号を結合器１３経由で受信する。そして、受信部１２は、受信した信号を復調してベースバンド信号にし、このベースバンド信号をデジタル値に変換する。測定部２０の受信信号処理回路２１は、デジタル値に変換されたＥＶＭテストパターンの信号を入力する（ステップＳ１１）。
【００８５】
割当情報取得部２３は、制御部１４からＥＶＭテストパターンの割当情報を取得する（ステップＳ１２）。この割当情報より、ＥＶＭ測定回路２２は、ＥＶＭの測定対象がスロット４〜７、１４〜１７であることを知ることができる。
【００８６】
受信信号処理回路２１は、ＥＶＭテストパターンの信号に対し、ＦＦＴ処理やＩＤＦＴ処理等の信号処理を実行し、擬似時間領域のシンボルデータを出力する（ステップＳ１３）。そして、ＥＶＭ測定回路２２は、受信信号処理回路２１が出力する各シンボルに対し、ＥＶＭを測定する（ステップＳ１４）。
【００８７】
具体的には、ＥＶＭ測定回路２２は、移動通信端末２が送信したＥＶＭテストパターンの変調方式の情報を制御部１４から取得し、この変調方式に応じて、各シンボルデータをＩＱ座標上に示したコンスタレーションを求める。次に、ＥＶＭ測定回路２２は、求めたコンスタレーションにおける各シンボルデータ測定点と、論理的なコンスタレーションにおける各シンボルデータの論理点との間のＥＶＭをスロットごとに測定し、測定したＥＶＭのデータを測定データ記憶部２５に記憶する。
【００８８】
除外区間算出部２４は、除外区間（時間領域）の時間情報を制御部１４から取得し、後述する操作部３０により設定された測定条件と、前述の「Ｅ．７．４  Ｆｏｒｍｕｌａ」に記載の計算式に基づいて、除外区間のシンボル数を算出し（ステップＳ１５）、算出した除外区間のシンボル数のデータを測定データ記憶部２５に記憶する。
【００８９】
スロット選択部３２は、スロット４〜７、１４〜１７のうちの１つを操作ボタン６１により試験者に選択させ（ステップＳ１６）、試験者が選択したスロットの情報を測定データ処理部４１及び表示制御部４２に出力する。
【００９０】
測定データ処理部４１は、操作部３０の操作に応じて、測定データ記憶部２５に記憶されたデータを読み出して所定のデータ処理を実行する（ステップＳ１７）。例えば、測定データ処理部４１は、所定測定回数におけるスロットごとのＥＶＭの平均値や、全体（後述する１６スロット分）のＥＶＭの平均値を算出する。
【００９１】
表示制御部４２は、操作部３０の操作に応じて、測定データ処理部４１が処理したデータを表示部４３に表示させる表示制御を行う（ステップＳ１８）。
【００９２】
表示部４３は、表示制御部４２が出力するデータを表示する（ステップＳ１９）。
【００９３】
次に、ＥＶＭの平均値の算出に関し、本実施形態と従来とを比較説明する。まず、従来のものでは、図１１の上段に示すように、スロット４〜７、１４〜１７の８個の信号を２フレーム分測定して合計１６スロット分のＥＶＭの平均値を一括して求めていた。しかしながら、この手法では、１６スロット分のＥＶＭの平均値を一括して求めるため個々のスロットのＥＶＭがどのような値であるかを試験者に示すことができなかった。
【００９４】
これに対し、本実施形態における移動通信端末試験装置１では、図１１の下段に示すように、スロット４〜７、１４〜１７の８個の信号をスロットごとに２フレーム分測定してスロットごとにＥＶＭの平均値を求め、その値を表示することができる。したがって、移動通信端末試験装置１は、スロットごとのＥＶＭの測定値を表示することにより、移動通信端末の開発段階や製造ラインでの評価段階における詳細な解析や不具合の発見等の一助となる。
【００９５】
以上のように、本実施形態における移動通信端末試験装置１によれば、表示部４３が、スロット選択部３２が選択したスロットに含まれる各シンボルのＥＶＭを表示する構成としたので、ＥＶＭをスロットごとに表示することができる。
【００９６】
また、本実施形態における移動通信端末試験装置１は、スロットごとに異なる、割当領域５１ａ、非割当領域５１ｂ、除外区間７１及び７２、測定区間７３をスロットごとに識別表示するので、これらの領域や区間を試験者に容易に把握させることができる。
【００９７】
また、本実施形態における移動通信端末試験装置１は、ＥＶＭのグラフ画面をスロットごとに表示するので、スロットごとの各シンボルのＥＶＭ測定値を試験者に容易に把握させることができる。
【産業上の利用可能性】
【００９８】
以上のように、本発明に係る移動通信端末試験装置及び移動通信端末試験方法は、ＥＶＭをスロットごとに表示することができるという効果を有し、携帯電話やモバイル端末等の移動通信端末を試験する移動通信端末試験装置及び移動通信端末試験方法として有用である。
【符号の説明】
【００９９】
１  移動通信端末試験装置
２  移動通信端末
１０  擬似基地局
１１  送信部
１２  受信部（受信信号出力手段）
１３  結合器
１３ａ、１３ｂ、１３ｃ  端子
１４  制御部
２０  測定部
２１  受信信号処理回路
２２  ＥＶＭ測定回路（変調精度測定手段）
２３  割当情報取得部
２４  除外区間算出部
２５  測定データ記憶部
３０  操作部
３１  測定条件設定部
３２  スロット選択部（スロット選択手段）
３３  マーカ操作部
４１  測定データ処理部
４２  表示制御部
４３  表示部（表示手段）
５１、５２、５３（５３ａ〜５３ｅ）、５４（５４ａ、５４ｂ）  表示領域
５１ａ  割当領域
５１ｂ  非割当領域
５１ｃ、５２ａ  ＥＶＭグラフ
５１ｄ、５２ｂ  マーカ
６０（６１、６２）  操作ボタン
７１、７２  除外区間
【図１】
0005285724.tif 000002
【図２】
0005285724.tif 000003
【図３】
0005285724.tif 000004
【図４】
0005285724.tif 000005
【図５】
0005285724.tif 000006
【図６】
0005285724.tif 000007
【図７】
0005285724.tif 000008
【図８】
0005285724.tif 000009
【図９】
0005285724.tif 000010
【図１０】
0005285724.tif 000011
【図１１】
0005285724.tif 000012
【図１２】
0005285724.tif 000013